(57)【要約】【課題】液体に浸すと、パッケージを開封する必要なく液体中に溶解、分散、拡散、または浸出されるように固形物質を封入するパッケージを提供する。【解決手段】固形物パッケージ１０は、その上端１１及び下端１２で封止された直線状の細長い管状構造物１５であって、上端に隣接する一体になった把持部１４、及び小穿孔部１６を有する管状構造物と、管状構造物１５内に入れられた所定量の固形物質とを備え、固形物質が、小穿孔部の開口より大きい粒寸法を有し、構造物は、少なくとも小穿孔部を液体に浸漬し、把持部１４を保持することによって、固形物質が液体中に分散、溶解、または浸出されるようにパッケージを振り動かすことができるような十分な全体剛性を有する。【選択図】図１
2008230700.tif 000002
【特許請求の範囲】
【請求項１】
上端及び下端で封止された直線状の細長い管状構造物であって、前記上端に隣接する一体になった把持部、及び小穿孔部を有する管状構造物と、前記管状構造物内に入れられた所定量の固形物質とを備える固形物パッケージにおいて、
前記固形物質が、前記小穿孔部の開口より大きい粒寸法を有し、
前記構造物は、少なくとも前記小穿孔部を液体に浸漬し、
前記把持部を保持することによって、前記固形物質が前記液体中に分散、溶解、拡散、または浸出されるように前記パッケージを振り動かすことができるような十分な全体剛性を有する、固形物パッケージ。
【請求項２】
前記固形物質が、凍結乾燥コーヒー及び噴霧乾燥コーヒーを含むコーヒーである、請求項１に記載の固形物パッケージ。
【請求項３】
前記固形物質が、チョコレート、チコリ、砂糖、塩、お茶、ハーブ、及びスパイスからなる群から選択された食品である、請求項１に記載の固形物パッケージ。
【請求項４】
前記固形物質が薬品組成物である、請求項１に記載の固形物パッケージ。
【請求項５】
前記固形物質が洗剤組成物である、請求項１に記載の固形物パッケージ。
【請求項６】
前記開口が、少なくとも約０．２ｍｍの寸法である、請求項１に記載の固形物パッケージ。
【請求項７】
前記開口が、約０．４〜約０．５ｍｍの寸法である、請求項１に記載の固形物パッケージ。
【請求項８】
前記開口が、約３．０ｍｍ以下の寸法である、請求項１に記載の固形物パッケージ。
【請求項９】
前記小穿孔部が、前記把持部とは別になっており、配列された開口を備える、請求項１に記載の固形物パッケージ。
【請求項１０】
前記小穿孔部が、前記構造体の下部領域に備えられている、請求項９に記載の固形物パッケージ。
【請求項１１】
所定の量の固形物質を溶解、分散、拡散、または浸出する方法において、
上端及び下端で封止された直線状の細長い管状構造物を備えるパッケージであって、前記構造物が、前記上端に隣接する一体になった把持部と、小穿孔部とを有し、前記固形物質が、前記管状構造物内に入れられており、前記固形物質が、前記小穿孔部の開口より大きい粒寸法を有するパッケージを、前記小穿孔部が液体に接触するのに十分な程度まで前記液体中に浸漬するステップと、
前記固形物質が前記液体中に溶解、分散、拡散、または浸出されるのに十分な時間、撹拌力を前記把持部に加えるステップと、
を含み、
前記構造物が、前記撹拌力を加えている間、全体剛性を維持する、方法。
【発明の詳細な説明】
【技術分野】
【０００１】
本願は、固形物質を封入するパッケージに関する。詳細には、本願は、そのパッケージを液体に浸すと、固形物質が、パッケージを開封する必要なく液体中に溶解、分散、拡散、または浸出されるように固形物質を封入するパッケージを対象とする。
【背景技術】
【０００２】
一般に、インスタントコーヒーは、必要な量を測るためにスプーンを用いて、缶または瓶から取り出され、次いで、スプーンに載せたこのインスタントコーヒーをカップに空ける。多くの場合、多少のこぼれが生じ、コーヒーの量がスプーンごと利用者ごとに異なり、使用者が湿ったスプーンを用いると交差汚染（cross contamination）が生じ得、または入れているコーヒーに砂糖やミルクが混入し得る。
【０００３】
あるいは、利用者は、「スティックパック」容器を用いることができる。スティックパック容器は、固体、半固体及び液体の様々な物質を入れるようになされた管状のパッケージである。これらのパッケージに入れられる物質は、パッケージ内に封止され、パッケージのミシン目部分すなわち柔弱部分（perforated or soft section）を開くことによって取り出される。そのときその中味は、封入されている物質の特性によって、パッケージから注ぎ出され、絞り出され、または振り出されて、カップまたは他の容器に入れられる。
【０００４】
通常、スティックパックがコーヒーを入れるために使用されるときは、コーヒーはパッケージから開封後にカップに注ぎ込まれて、そのカップにお湯が加えられる。
【０００５】
残念なことに、スティックパックに関する大きな問題は、ミシン目または柔軟部分が、常に期待通りには、機能しないことである。しばしば、追加の力、あるいは、スティックパック小袋の頭部を切って中味を小袋から注ぐことができるようにする鋏またはナイフなどの切断具の使用が必要になる。
【０００６】
コーヒーを入れるのにスティックパックを使用するとき、コーヒーを十分に撹拌して溶かすために、スプーンが更に必要になることが理解されよう。
【０００７】
外食産業など、多数の人にコーヒーを提供する状況では、小分けスティックパックは、１人当たりに必要な量のコーヒーを提供する意味で助けになるが、それでもなおスティックパックを開封する必要があり、撹拌具を各人に用意する必要がある。この結果、比較的時間を要し、手間が掛かり、面倒な手順を生じる。
【０００８】
更に、自動販売機市場では、コーヒーなど熱い飲み物を提供するには、現在は、固体と液体の成分を混合する複雑でしばしば信頼度が低くなるステップを必要とする。本発明は、固体成分と熱湯を分離し、従って、自動販売機の利用者が自分自身の飲み物をスプーンや他の撹拌具なしに混合できるようにすることによって、そのような熱い飲み物の供給を簡単化する。これは、自動販売機の設計を単純化し、より信頼性が高く品質の良い供給を付加して、末端消費者並びに自動販売機運用者の両方に利益を与える。
【０００９】
本発明者は、所定の量の固体を入れて供給するための封止スティックパック及び他のパッケージングタイプの短所を理解している。本明細書に開示された発明は、固体を収容すると共に、固体を液体中に溶解、分散、浸出、拡散することが容易にできる手段を形成するように働く固体パッケージを提供することを目指す。更に、それは、一定の所定量の固形物質を供給する、規程量及び／または一回分のパッケージとして働く。
【００１０】
この明細書を読むにあたって、それに含まれる、文書、作用、物質、装置、品物などの説明の全ては、単に、本発明の背景を提供する目的のためのものであることに留意されたい。これら事物のいずれかまたは全ては、この出願の各請求項の優先権期日より以前に存在していたからといって、先行技術ベースの一部を形成し、または本発明の関連分野での共通で一般的な知識であると認めるものではない。
【発明の開示】
【課題を解決するための手段】
【００１１】
第１の態様によれば、本発明は、その上端及び下端で封止された直線状の細長い管状構造物であって、上端に隣接する一体になった把持部、及び小穿孔部（foraminous portion）とを有する管状構造物と、管状構造物内に入れられた所定量の固形物質とを備える固形物パッケージにおいて、固形物質が、小穿孔部の開口より大きい粒寸法を有し、構造物は、少なくとも小穿孔部を液体に浸漬し、把持部を保持することによって、固形物質が液体中に分散、溶解、拡散、または浸出されるようにパッケージを振り動かすことができるような十分な全体剛性を有する、固形物パッケージである。
【００１２】
第２の態様によれば、本発明は、
その上端及び下端で封止された直線状の細長い管状構造物を備えるパッケージであって、構造物が、上端に隣接する一体になった把持部と、小穿孔部とを有し、固形物質が、管状構造物内に入れられており、固形物質が、小穿孔部の開口より大きい粒寸法を有するパッケージを、小穿孔部が液体に接触するのに十分な程度まで液体中に浸漬するステップと、
固形物質が液体中に溶解、分散、または浸出されるのに十分な時間、撹拌力を把持部に加えるステップと、
によって所定の量の固形物質を溶解、分散、浸出、または拡散する方法であって、
構造物が、撹拌力を加えている間、全体剛性を維持する、方法である。
【００１３】
この明細書を通して、用語「備える（comprise，comprises）」、または「備えている（comprising）」などの変化形は、言及されている要素、完全体、若しくはステップ、または要素、完全体、若しくはステップのグループを含むことを意味するが、他の要素、完全体、若しくはステップ、または要素、完全体、若しくはステップのグループを全く含まないことを意味するものではないと理解されたい。
【００１４】
本発明は、特にコーヒーなどの製品用の従来のパッケージングに対して多数の利点を有する。詳細には、本発明は、中味を使用するに際し取り出すために、従来のパッケージ、特にスティックパッケージを開ける問題を回避する。それは、コーヒーを入れた本発明のパッケージが、熱湯を入れたカップに入れられると、熱湯が小穿孔部を通り抜けてパッケージ中に入り、それによってコーヒーが溶解されるからである。パッケージを振り動かすことにより、コーヒーが確実に均一に分散されて飲料を形成することになる。更に、ミルク若しくはクリーム及び／または砂糖を加え、パッケージを用いて、飲料中に撹拌することができる。別法として、乾燥粉形態のミルクまたはクリーム、砂糖、人工甘味料が、パッケージ中の固形物質の一部を形成することができる。例えば、コーヒーにクリーマを加えたもの、コーヒーに砂糖または甘味料を加え、クリーマ／ミルク粉を加えたものである。
【００１５】
コーヒーは、冷凍乾燥または噴霧乾燥形態の場合、粉状インスタントコーヒーより緩慢に溶解する傾向がある。実際には、これは、溶解されなかった顆粒がカップ内に残り、特に、側面に付着して極めて見苦しくなり得ることを意味する。本発明のパッケージでは、溶解されない顆粒はパッケージ中に保持されることになるので、この問題が回避される。この意味では、小穿孔部は、一種のフィルタとして作用する。
【００１６】
コーヒーを撹拌するスプーンの使用を無くすことによって、コーヒーによる砂糖の交差汚染、及びその逆が回避される。それは、カフェテリア、オフィス及び工場の食堂、従業員食堂、行事、セミナなど、コーヒー及び砂糖の大量容器が準備されて使用されるところでは共通の問題である。塗れたスプーンを大量コーヒー容器中に戻すことによってコーヒーを害しがちである問題が、完全に回避されることも明らかであろう。労働安全衛生法が制定されている国では、これにより、多くのこれら交差汚染問題を排除することができる。
【００１７】
薬品用途では、それにより、有効成分の正確な測定量を簡単に管理することができる。これは、高齢者、及び、例えば、パッケージを開けるのに差し支えのある関節炎やリューマチ性疾患に罹っている人にとって重要事である。それはまた、幼児に対する可溶性薬品の管理に重要である。従って、この発明は、現在は丸薬または錠剤の形態で管理されている可溶性薬品に対する代替形態になる。
【００１８】
最後に、本発明のパッケージは、不正開封防止型（tamper evident）であることが理解されよう。
【００１９】
直線的に細長い管状構造物は、一般に、外見は枕形状（pillow-shaped）である。上側封止端及び下側封止端（エンドシール）が枕の両端を構成し、フィンシールまたはラップシールが２つの側端の閉鎖部を構成する。ただし、その中に入る固形物質の特性によって決定される寸法を有する他の形状を用いることができることが理解されよう。
【００２０】
エンドシール、ラップシール、またはフィンシールの封止は、超音波溶接、加熱、加圧、接着剤の使用、またはそれらの組合せによって達成することができる。管状構造物が、プラスチック可撓生地の薄層を含むプラスチックプリント生地から形成されるとき、封止は、熱または圧力を用いて行われる。そのような実施形態では、通常、プリント生地は、単一のパッケージを生成する特定の材料幅に裁断または切断され、次いで、この単一パッケージは、裁断生地の両側をひとつに合わせ熱及び圧力を用いて封止して構成される長手方向に延在する合わせ目（ラップシールまたはフィンシールのいずれか）を備える。この発明に使用するのに特に好ましいのは、アルミニウム層と組み合わされたプラスチック材を備える多重層であるが、パッケージ内部の固体に適した他の可撓パッケージング材を使用することもできる。
【００２１】
適切なパッケージング材の特定の例は、２軸延伸ポリプロピレン（ＢＯＰＰ：bi-axially orientated polypropylene）である。この材料は、ポリプロピレン／アルミニウム／ポリプロピレンの積層から構成されている。
【００２２】
管状構造物の上端付近は、小穿孔部とは通常別になっている把持部である。一部の実施形態では、広告や商標などのプリント題材はこの部分に備えられる。
【００２３】
把持部の下には、管状構造物の小穿孔部が形成される。小穿孔部は、管状構造物を完全に廻って延在する。生地が熱封止によって管状構造物に成形され、それによって長手方向に延在する合わせ目（フィンシールまたはラップシールとしての）が導入されるような実施形態では、一般に、合わせ目に隣接する領域はその特性から穿孔されないことになる。
【００２４】
小穿孔部の範囲は、パッケージに入れられる固形物質の特性、固形物質を溶解、分散、拡散、または浸出するのに要求される速度、及び開口の寸法によって決定されることが理解されよう。開口のパターンもまた重要であり得る。
【００２５】
無論、固形物質を本発明のパッケージ内に保持するために、開口の寸法は、固形物質の粒の寸法より小さくなくてはならない。そうでなければ、固形物質が、使用前にパッケージから出てしまうことが起こり得る。
【００２６】
目安として、約５００〜１５００個の開口、好ましくは約１１００〜１２００個の開口を備え、各開口が約０．２ｍｍ〜約３．０ｍｍの範囲にある小穿孔部が効果的であることが分かっている。そのような開口寸法は、凍結乾燥または噴霧乾燥されたコーヒーなどの粒状物質をパッケージ内に確実に保持しながら、水を容易にパッケージ内に浸潤させることができる。通常、そのようなコーヒー顆粒が１．０〜２．０ｍｍの大きさのとき、開口は約０．４ｍｍ〜約０．５ｍｍである。開口の最適な寸法及び数は、各固形物質、及び、その中にパッケージを浸漬する各液体に対して、容易に決定することができる。
【００２７】
単位面積当たりの開口の比率は、開口の大きさ、開口同士の間隔、開口のパターン、小穿孔部を形成するのに使用される材料の特性などの因子によって変化する。
【００２８】
目安として、隣接する開口同士の間隔が１ｍｍである２ｍｍの開口が用いられた場合、１ｃｍ２当たり約９個の開口になる。１ｍｍの間隔の１ｍｍの開口を使用すると、１ｃｍ２当たり約２５個の開口になる。１ｍｍの間隔の０．５ｍｍの開口を使用すると、１ｃｍ２当たり約１００個の開口になる。
【００２９】
開口同士の間隔が小さすぎると、小穿孔部が裂けまたは破れることがあるので、小穿孔部を形成するのに使用される材料が重要になる。
【００３０】
開口群のパターンに関しては、通常、そのようなパターンは、必要なパターンを有する所定の諸部分を小穿孔部中に生成することによって形成される。そのような所定の部分同士の間隔及び配置によって、小穿孔部中の全体のパターンが決まる。
【００３１】
管状構造物は、使用中、パッケージが液体中に浸漬されている間に、撹拌力をそれに加えることができる十分な剛性を有することが重要である。剛性プラスチック材、特に可撓性生地形態を使用することが好ましい。特に好ましいのは、積層によって形成された生地、特にプラスチック膜とアルミニウムの積層である。これらの材料を使用する付加的利点は、高温または沸騰水からの熱伝導が抑えられることである。
【００３２】
広範囲の様々な固形物質を、本発明のパッケージに収容することができる。これらの固形物質には、様々な種類の、一部の紛体、混合物、複合物質、顆粒、ビード、ゲル、ペースト、及びクリームが含まれる。それら物質には、凍結乾燥及び噴霧乾燥形態のコーヒーなどのコーヒーや、コーヒー及び砂糖（天然及び香り付きの両方）、コーヒー、甘味料及び生クリームなどのコーヒーの素や、イナゴマメや、チコリや、フレーバシュガーや、甘味料や、特殊調製粉乳を含む乳製品の素や、塩や、浄水剤や、ハーブや、乾燥スポーツドリンクの素や、スパイスや、お茶や、チョコレート、キャラメル、モルト、バニラ、果物、並びに天然及び人工香料などの他の食品などや、また、アルコール及び非アルコール飲料用の香り添加物が含まれる。また、それらには、ビタミン及びミネラルなどの栄養補助剤、並びに、化粧用品、栄養補助食品、薬品、医薬、獣医薬品、農業用組成物が含まれる。更に、芳香剤、布及び皿並びに洗浄対象物を洗浄するための発泡固形物、及び洗浄用組成物などの固形物質などを用いることができる。別の用途には、Ｓｎｕｓ（スウェーデンの煙草）の吸出し用があり、その場合、濾紙で作られた現在のパッケージは、利用者の上唇の内側に置かれる。穿孔パッケージの発明は、この吸出し形態とは別の形態を形成して、中味をパッケージの内部に実質的に保持しながら、唾液がより簡単にパッケージに出入りできるようにする。
【００３３】
農業市場ではまた、種子増殖に用途があり、その場合には、パッケージは、種子を土及び肥料と共に保持して直ぐに植え付けができる手段として用いられ、穿孔は、水分がパッケージを通り抜けることができ、そのうちに根茎がパッケージの穿孔を通って外へ出ることができる手段として使用される。この用途では、パッケージは、時間経過と共に劣化する、環境に感応する材料から構成されるであろう。
【００３４】
薬品市場では、重要な用途には、制酸剤、アレルギー治療薬、咳及び風邪の治療薬、鎮痛剤、食餌製品、ビタミン剤、並びに栄養及びビタミン補助剤用があり、他の大衆薬系列及び調合薬もそれに含まれる。
【００３５】
本発明に関連する液体の例としては、コーヒーなどの飲料を作るための熱湯や、アイスティーなどの飲料を作るための冷水または氷水や、柑橘類飲料や、果実、バニラ、モルト、並びにフルーツジュースを含む様々な香味料に基づく飲料を作るための熱いミルク及び冷たいミルクや、アルコール性及び非アルコール性両方の炭酸及び非炭酸飲料がある。非飲料用途には、薬品、医薬、獣医薬品、農業用及び洗浄用組成物と共に水またはミルクまたはジュースを使用することが含まれる。
【００３６】
本発明のパッケージ中への固形物質の充填は、様々な周知の機械によって達成することができる。これらには、欧州のSchwarze-Automation（Josef Blazek）、Schmucker及びBoschによって製作されるスティックパック機械、日本のToyo及びSanko、米国のFres-Co System、並びにインド、トルコ、及びイタリーの他の会社によって製作される機械が含まれる。これらの機械は、単一レーンまたは多重レーンの機械として構成され得る。
【００３７】
上記で説明したように、好ましくは、管状構造物はプリント生地から形成する。この好ましい実施形態では、小穿孔部は、各パックの所定の領域を穿孔することによって形成され、他の領域は穿孔せずに残す。パッケージング材に孔を開け、またはそれを穿孔するには、多数の技法がある。これらには、熱間及び冷間の針孔打抜きが含まれ、その場合は、複数の針を埋め込んだ円盤（円筒）を用いて素材の表面に孔を開けることによって一連の孔が生成される。針は、穿孔される面の下の柔らかいシート（通常はゴム）によって、時には一連の合わせ孔（雌雄構成）によって抵抗を与えながら、素材を打ち抜き、または突き抜く。針は、低温の場合と、高温（大きな孔を生成するために）の場合がある。
【００３８】
レーザもまた、穿孔を生成するのに使用されており、その場合、レーザビームは、表面素地の至るところに一連の孔を生成するために使用される（単一ビームまたは割れたレーザビームとして）。これらは、しばしば、ビームを精密に用いることができるように、コンピュータで制御される。
【００３９】
あるいは、ウォータジェットを圧力下で使用して孔を開けることができ、または、機械的打抜きシステム（雌雄金具）を用いて生地に孔を打ち抜いて、穿孔を生成することができる。
【００４０】
本発明では、素材の生地上に正確な配置で孔を打ち抜けるようにミクロン精度で固有に製作された機械的金具を使用して、個々のパッケージを生成することが好ましい。生成される工具は、より幅広い生地、より大きな工具、及びより速い作業による大量販売生産用に設計されている。工具の寸法は、例えば１、６、１２または２４レーンの機械など、使用されるスティックパック機械の幅及び正確な規格に適合するように構成されるべきである。後に、生地は、個々のパッケージを製造するために裁断される。このプリント生地の裁断は、プリンタ（例えば、１２レーンのスティックパック機械用に構成された２４レーンの）によって行うことができ、言い換えれば、プリント生地の個々のパッケージへの裁断は、スティックパック機械上で行うことができる。
【００４１】
より詳細には、生地に穿孔を打ち抜く工具には、特殊硬化鋼の針を使用し、０．００１ｍｍ程度の精度で工具を製作することが好ましい。ここで使用される工具は、１回の打抜き操作で完璧な精度を有する２４パターンの穿孔セットを生成することができる。これは、プリント生地の左側への穿孔が、生地の右側への穿孔に対して、寸法及び位置において同一であり、決して拡張や位置のずれがないことを意味する。この配置精度の穿孔を生成するような工具及び装置は、独国シュヴァイゲルン及び米国ノースカロライナ州シャーロットをベースとするWista GmbHから市販されており、その工具及び装置は、任意のプリント広告、商標、データコード、または封止領域に対して孔パターンの位置を位置決めするために予めプリントされた目印を用いて、プリント生地上に正確な、分割された穿孔パターンを生成することができる。
【００４２】
更に、Wistaはまた、所定の孔形状及び装飾パターンの形で、パッケージに「可視的セキュリティ（”visible security”）」対策を付け加えることができる。これらの孔を、円形、楕円形、正方形、または非幾何学的形状にし、また様々な孔寸法にすることができ、これらの孔を、孔の全体パターン中に配置して、機能的セキュリティ確保及び装飾効果の両方を生み出すことができる。
【００４３】
この孔のパターン化及び孔の形状形成が、そのように生成されたパッケージの履歴追跡を可能にし、また、商標偽造に対して視覚的セキュリティ保護を付け加えて、別のレベルの商標保護を提供する。これは、ある種の市場及び製品領域では、ますます重要になってきている。
【００４４】
本発明の固形物パッケージは、更に、２次パッケージングを用いて複数単位でパッケージ化することができる。そのようなパッケージングの例には、フローラップ、厚紙カートン、真空トレイ、ガラスパッケージング、並びに軟質及び硬質両方のプラスチック膜及び紙が含まれる。
【００４５】
次に、単に例として、本発明を、添付図面を参照して説明する。
【発明を実施するための最良の形態】
【００４６】
本発明が、凍結乾燥または噴霧乾燥コーヒーを入れる固形物パッケージに関して以下に記述されるが、本発明は広く様々な他の固形物質に対して適用できることが理解されよう。
【００４７】
図１〜図５には、凍結乾燥または噴霧乾燥コーヒー顆粒を入れるパッケージ１０である、本発明の一実施形態が示されている。
【００４８】
パッケージ１０は、上端１１及び下端１２で封止された細長い管状構造物１５を備える。上端１１の近傍に、把持部１４がある。把持部１４の下にそれとは別に、小穿孔部１６がある。
【００４９】
小穿孔部１６は、菱形パターンの穿孔群を備え、穿孔は約１２００個で、それぞれ円形で、直径約０．５ｍｍである。穿孔２１は、図１５に最も良く示されている。
【００５０】
図２から明らかなように、生地の両端をひとつに合わせ封止することによって形成された合わせ目１３がある。合わせ目１３は、パッケージの全長に延在する。この例ではラップシール（囲み塞いだシール）が使用されているが、フィンシールもまた可能な代替形態である。
【００５１】
全体に、管状構造物１５は、外見上枕形状であり、上端及び下端のそれぞれに向かって先細になっている。
【００５２】
図６〜図１０には、凍結乾燥または噴霧乾燥コーヒー顆粒を入れるパッケージ３０である、本発明の第２の実施形態が示されている。
【００５３】
パッケージ３０は、上端２３及び下端２２で封止された細長い管状構造物２６を備える。上端２３の近傍に、把持部２４がある。把持部２４の下にそれとは別に、小穿孔部２７がある。この実施形態では、把持部２４はプリント題材を備える。
【００５４】
小穿孔部２７は、菱形パターンの穿孔群を備え、穿孔は約１２００個で、それぞれ円形で、直径約０．５ｍｍである。穿孔２１は、図１５に最も良く示されている。
【００５５】
図７から明らかなように、生地の両端をひとつに合わせラップシールとして封止することによって形成された合わせ目２５がある。合わせ目２５は、パッケージの全長に延在する。
【００５６】
全体に、管状構造物２６は、外見上枕形状であり、上端及び下端のそれぞれに向かって先細になっている。
【００５７】
図１１〜図１４に、小穿孔部に関する様々な代替パターンが示されている。図１１では、パターン１７は菱形である。図１２では、パターン１８は正方形である。図１３では、パターン１９は円形である。図１４では、パターン２０はハート形である。
【００５８】
広く記述された本発明の趣旨及び範囲から逸脱することなく、特定の実施形態で示された本発明に対して多数の改変及び／または変更を加えることができることが、当業者には理解されよう。従って、本明細書中の実施形態は、全ての態様において、例示的なものであり、限定的なものではないと考えられるべきである。
【図面の簡単な説明】
【００５９】
【図１】本発明の一実施形態による正面図である。
【図２】本発明の一実施形態による背面図である。
【図３】本発明の一実施形態による側面図である。
【図４】本発明の一実施形態による上面図である。
【図５】本発明の一実施形態による底面図である。
【図６】本発明の第２の実施形態による正面図である。
【図７】本発明の第２の実施形態による背面図である。
【図８】本発明の第２の実施形態による側面図である。
【図９】本発明の第２の実施形態による上面図である。
【図１０】本発明の第２の実施形態による底面図である。
【図１１】本発明の小穿孔部の第１のパターンの平面図である。
【図１２】本発明の小穿孔部の第２のパターンの平面図である。
【図１３】本発明の小穿孔部の第３のパターンの平面図である。
【図１４】本発明の小穿孔部の第４のパターンの平面図である。
【図１５】本発明の小穿孔部の開口の詳細横断面図である。
【符号の説明】
【００６０】
１０  パッケージ
１１  上端
１２  下端
１３  合わせ目
１４  把持部
１５  管状構造物
１６  小穿孔部
１７  菱形パターン
１８  正方形パターン
１９  円形パターン
２０  ハート形パターン
２１  穿孔
２２  下端
２３  上端
２４  把持部
２５  合わせ目
２６  管状構造物
２７  小穿孔部
３０  パッケージ
【図１】
2008230700.tif 000003
【図２】
2008230700.tif 000004
【図３】
2008230700.tif 000005
【図４】
2008230700.tif 000006
【図５】
2008230700.tif 000007
【図６】
2008230700.tif 000008
【図７】
2008230700.tif 000009
【図８】
2008230700.tif 000010
【図９】
2008230700.tif 000011
【図１０】
2008230700.tif 000012
【図１１】
2008230700.tif 000013
【図１２】
2008230700.tif 000014
【図１３】
2008230700.tif 000015
【図１４】
2008230700.tif 000016
【図１５】
2008230700.tif 000017
【外国語明細書】
2008230700.tif 000018
2008230700.tif 000019
2008230700.tif 000020
2008230700.tif 000021
2008230700.tif 000022
2008230700.tif 000023
2008230700.tif 000024
2008230700.tif 000025
2008230700.tif 000026
2008230700.tif 000027
2008230700.tif 000028
2008230700.tif 000029
2008230700.tif 000030
2008230700.tif 000031
2008230700.tif 000032
2008230700.tif 000033
2008230700.tif 000034
2008230700.tif 000035